(57)【要約】【課題】保守点検作業時に乗りかごと制御盤が干渉する恐れがなく、しかも制御盤の保守点検の作業性が良好なエレベータ装置を提供すること。【解決手段】乗りかご２を昇降させる昇降路１の内壁部１ａに設けられ保守点検用の開口部を有する制御盤６と、この制御盤に対し着脱可能に設けられ装着時に上記開口部を塞ぐ制御盤カバー６２と、上記乗りかごの上記制御盤に対向する外壁部２１ａに設けられ、取外した上記制御盤カバーを外壁部に沿わせて保持する制御盤カバー保持部材７とを備えるように構成した。【選択図】図１
2006347649.tif 000002
【特許請求の範囲】
【請求項１】
乗りかごを昇降させる昇降路の内壁部に設けられ保守点検用の開口部を有する制御盤と、この制御盤に対し着脱可能に設けられ装着時に上記開口部を塞ぐ制御盤カバーと、上記乗りかごの上記制御盤に対向する外壁部に設けられ、取外した上記制御盤カバーを上記外壁部に沿うように保持する制御盤カバー保持部材とを備えてなることを特徴とするエレベータ装置。
【請求項２】
上記制御盤カバー保持部材は、上記制御盤カバーを保持した状態で、上記乗りかごの水平投影面の範囲内に納まるように形成されてなることを特徴とする請求項１に記載のエレベータ装置。
【請求項３】
上記制御盤カバーを上記制御盤カバー保持部材に保持させたとき、該制御盤カバーの上部が、所定寸法だけ上記制御盤カバー保持部材の上端または乗りかご上の保守床面の何れか高い方より高く、乗りかご上で最上部の構造物または機器より低く収納されてなることを特徴とする請求項１または請求項２に記載のエレベータ装置。
【発明の詳細な説明】
【技術分野】
【０００１】
この発明はエレベータ装置に関し、特に昇降路内に設置された制御盤の保守点検作業を容易にしたエレベータ装置に関するものである。
【背景技術】
【０００２】
従来、昇降路内に制御盤が設置された例えば機械室を必要としないエレベータ装置では、制御盤を保守点検するために保守点検面を開閉する手段として、制御盤筐体の保守点検面の開口部に制御盤扉を蝶番等により回動自在に設けたもの、取外し式の制御盤カバーで構成したもの、制御盤カバーをスライド式に構成し、カバーの取外しを不要にしたものなどがある（例えば、特許文献１参照。）。
【０００３】
【特許文献１】特開２０００−１５９４５２号公報（実施の形態３、図４）
【発明の開示】
【発明が解決しようとする課題】
【０００４】
上記のような従来のエレベータ装置においては、特に乗りかご上から乗りかごを運転させながら制御盤の保守点検作業を行いたいという実務上の要求を満足するために、各種の工夫がなされているが、取外し式の場合は、取外した制御盤カバーを乗りかご上部の保守床面に保管するスペースが必要となり、スライド式の場合は、スライドさせた制御盤カバーが他の機器と干渉しないように配置構成する必要があり、機器配置の自由度を制約し、また制御盤カバーをスライドさせる機構により制御盤筐体構造が複雑となるなどの問題点があった。
【０００５】
この発明は、上記のような従来技術の課題を解消するためになされたもので、保守点検作業時に乗りかごと制御盤が干渉する恐れや、保管スペースのために作業スペースが狭くなることなく、しかも制御盤の保守点検の作業性が良好なエレベータ装置を得ることを目的としている。
【課題を解決するための手段】
【０００６】
この発明に係るエレベータ装置は、乗りかごを昇降させる昇降路の内壁部に設けられ保守点検用の開口部を有する制御盤と、この制御盤に対し着脱可能に設けられ装着時に上記開口部を塞ぐ制御盤カバーと、上記乗りかごの上記制御盤に対向する外壁部に設けられ、取外した上記制御盤カバーを上記外壁部に沿うように保持する制御盤カバー保持部材とを備えるように構成したものである。
【発明の効果】
【０００７】
この発明においては、制御盤の保守点検時に取外した制御盤カバーを、制御盤カバー保持部材によって制御盤と対向する乗りかご外壁部に沿うように保持したことにより、保守点検作業時に乗りかごと制御盤が干渉する恐れがなく、保管スペースのために作業スペースが狭くなることもない。また、構造や操作が簡単であるため、制御盤の保守点検の作業性が良好なエレベータ装置を得ることができる。
【発明を実施するための最良の形態】
【０００８】
実施の形態１．
図１〜図４はこの発明の実施の形態１に係るエレベータ装置の要部を概念的に説明するもので、図１は昇降路内を乗り場側から見た全体構成を示す縦断面図、図２は図１に示すエレベータ装置の平面図、図３は制御盤の外観を示す斜視図、図４は乗りかごの外壁部に設けられた制御盤カバー保持部材を示す斜視図である。図において、昇降路１内には、該昇降路１内を昇降する乗りかご２および釣り合い錘３と、この例では上部に配設された巻上機４と、一端部が乗りかご２に、他端部が釣り合い錘３にそれぞれ固定され中央部が巻上機４に巻き掛けられた主ロープ５と、乗りかご２の昇降を制御するエレベータの制御盤６とを有している。なお、この発明に関係する要部のみ示し、ガイドレールなどは図示を省略している。また、各図を通じて同一符号は同一もしくは相当部分を示すものとする。
【０００９】
乗りかご２の壁２１は、かご床２２の上に組立てられており、この実施の形態１ではかご床２２の外形サイズよりも小さく形成されている。乗りかご２の外側上面部は保守床面２３を形成し、保守点検作業員８が乗れるようになっている。制御盤６は、昇降路１の右奥の内壁部１ａ上部に固定され、エレベータを駆動させるための各種機器（図示せず）を収納、固定するための制御盤筐体６１と、この制御盤筐体６１の前面部に形成された周囲３方が内フランジ状で、底面部が手前側に突出するように延出され延出端部が上方向に折曲された係止部６１ｂを有する保守点検用の開口部６１ａと、この開口部６１ａを塞ぐ平板状の制御盤カバー６２と、この制御盤カバー６２を通常時、開口部６１ａに固定する固定ねじ６３などを有している。
【００１０】
固定ねじ６３は、内フランジ状の開口部６１ａの上部左右２箇所に設けられている。一方、制御盤カバー６２の上部左右２箇所には、上記開口部６１ａの左右２つの固定ねじ６３に対応する位置に設けられた係止穴６２ａを有し、半締めされた固定ねじ６３に対して若干持ち上げた状態で係止穴６２ａに固定ねじ６３の頭部を挿通させた後、制御盤カバー６２を重力方向に押し下げることで下端部が係止部６１ｂの上面に係止され、上部が固定ねじ６３に係止され、通常時は固定ねじ６３を締めて固定される。保守点検作業時は、固定ねじ６３を緩めた後、制御盤カバー６２を持ち上げて手前に引くことで取外しが可能となっている。
【００１１】
乗りかご２の制御盤６と対向する外壁部２１ａに設けられた制御盤カバー保持部材７は、取外した制御盤カバー６２の両側部及び底辺部を保持する断面Ｌ字形で、上端部の開口部分を挿入部７ｂとするコ字状に形成された保持枠７ａと外壁部２１ａとによって構成され、制御盤カバー６２を挿入部７ｂから挿入することによって外壁部２１ａに沿って保持するように構成されている。この制御盤カバー保持部材７は乗りかご２の水平投影面の内側に収まっており、乗りかご２を昇降させても昇降路１内に設置される制御盤６または他の機器類（図示省略）と干渉しない構成になっている。
【００１２】
次に上記のように構成された実施の形態１の動作について説明する。制御盤６の保守点検時、保守点検作業員８が乗りかご２の上で制御盤６の開口部６１ａを覆っている制御盤カバー６２を固定ねじ６３を緩めて取外し、乗りかご２の制御盤６と対向する外壁部２１ａに設けた制御盤カバー保持部材７の上端部挿入部７ｂから図４中に矢印で示す方向に挿入するように収納することで、開口部６１ａが開かれる。乗りかご２の外壁部２１ａに設けられた制御盤カバー保持部材７は、制御盤カバー６２を外壁部２１ａに沿って密着させる如く垂直方向に立てた状態で保持していることにより、必要とする面積が最小限となり、乗りかご２の水平投影面内に収められる。保守点検作業員８は、例えば乗りかご２を走行させながらの状態でも支障なく制御盤６の保守点検作業を行なうことができる。
【００１３】
上記のように、この実施の形態１によれば、乗りかご２上に制御盤カバー６２を保管するスペースが必要無く、また取外した制御盤カバー６２が他の機器と干渉する危険が無く、制御盤カバー６２を取外した状態で乗りかご２の走行も可能となる。また、開口部６１ａを開放した状態で乗りかご２を走行しても制御盤６と乗りかご２が衝突する危険が無いために、従来のように制御盤の扉閉め忘れ防止機構などを設ける必要も無く、制御盤機器構成を簡略化できる。
【００１４】
また、制御盤カバー６２を乗りかご２の外壁部２１ａに沿うように保持させたことにより、保管スペースが十分に確保できる為、制御盤カバー６２を分割もしくはスライド式にする必要がなく制御盤６の筐体構造を簡略化できる。このため、製造コストも安価にできる。さらに、制御盤カバー６２の取外し作業および取り付け作業は直下の制御盤カバー保持部材７までの距離を上下移動させるだけでよく、制御盤カバー６２の取外し作業および取り付け作業に要する時間を短縮できる。
【００１５】
なお、上記実施の形態１では、制御盤カバー保持部材７は断面Ｌ字形の保持枠７ａによって上端部が開口されたコ字状に形成して制御盤カバー６２を収納するように構成したが、これに限定されるものではなく、その他の保持手段、例えば、制御盤カバー６２の固定用の係止穴６２ａを利用して保持可能なフックを乗りかご２の制御盤６と対向する外壁部２１ａに設け、該フックに制御盤カバー６２を係止する等の構成であっても、同等の効果が得られる。さらに、制御盤６が昇降路１の右側奥の内壁部１ａに設置されている場合について説明したが、例えば昇降路１の奥壁部に設けられている場合には、当然ながらその制御盤に対向する位置の乗りかご２の奥壁外面に、制御盤カバー保持部材７を設置することで、同様の効果が得られる。また、制御盤カバー保持部材７の底部に制御盤カバー６２を挿入した時の衝撃を和らげるクッション材を設けるなどの付加機能を設けてもよい。
【００１６】
実施の形態２．
上記実施の形態１では、制御盤カバー保持部材７に制御盤カバー６２を保持させたときの水平投影面が、乗りかご２の水平投影面の範囲内に収まるように構成した例を示したが、例えば乗りかご２の壁２１が水平投影面の最外周部となるような場合には、乗りかご２の水平投影面を若干オーバーしても差し支えるものではない。即ち、制御盤カバー６２が、完全な平板状に形成されている場合には、通常その厚さは２ｍｍ程度未満であり、制御盤カバー保持部材７をフックのような単に制御盤カバー６２を引っ掛ける構造の係止具とすると共に、制御盤カバー６２を乗りかご２の外壁部２１ａに密着させる如く外壁部２１ａに沿って保持することで制御盤カバー６２を保持するための水平投影面のスペースを最小限にすることができ、制御盤６と乗りかご２の間のクリアランスが例えば数センチメートル程度あれば同様の効果を期待することができる。（図示省略）
【００１７】
実施の形態３．
図５はこの発明の実施の形態３によるエレベータ装置の乗りかごの外壁部に設けられた制御盤カバー保持部材を示す斜視図である。図において、制御盤カバー保持部材７は、制御盤カバー６２を収納したとき、乗りかご２の上の保守床面２３から制御盤カバー６２の上部が突出するように構成されている。制御盤カバー保持部材７の寸法を上記のように構成することにより、収納された制御盤カバー６２を制御盤６へ戻すとき、保守点検作業員が突出部を把持して容易に持ち上げることができ、より安全で作業性の高い保守作業を提供できるので、保守作業に要する時間を短縮して保守コストを節約できる。なお、突出部分の寸法は特に限定されるものではないが、制御盤カバー保持部材７の上端又は乗りかご２上の保守床面２３の何れか高い方より高く、乗りかご２上で最上部の構造物または機器より低くすることで、昇降路側構造物との干渉を回避でき、より安全で作業性の高い保守作業を提供できる。
【００１８】
なお、上記実施の形態の説明では、巻上機４が昇降路１の上部に設けられた場合について説明したが、巻上機４の位置は特に限定されるものではなく、例えば昇降路の底部、あるいは側壁部などに設けたいわゆる機械室レスエレベータなどでも差し支えない。また、制御盤カバー６２は平板状のものでなくても同様の効果が期待できる。さらに、制御盤カバー６２の制御盤筐体６１に対する固定方法、及び制御盤カバー保持部材７の保持構造などについても実施の形態に限定されないことは言うまでもない。
【図面の簡単な説明】
【００１９】
【図１】この発明の実施の形態１に係るエレベータ装置の昇降路内を乗り場側から見た全体構成を示す縦断面図。
【図２】図１に示すエレベータ装置の平面図。
【図３】図１に示す制御盤の外観を示す斜視図。
【図４】図１に示す乗りかごの外壁部に設けられた制御盤カバー保持部材を示す斜視図。
【図５】この発明の実施の形態３に係るエレベータ装置の乗りかごの外壁部に設けられた制御盤カバー保持部材を示す斜視図。
【符号の説明】
【００２０】
１  昇降路、  １ａ  内壁部、  ２  乗りかご、  ２１  壁、  ２１ａ  外壁部、  ２２  かご床、  ２３  保守床面、  ３  釣り合い錘、  ４  巻上機、  ５  主ロープ、  ６  制御盤、  ６１  制御盤筐体、  ６１ａ  開口部、  ６１ｂ  係止部、  ６２  制御盤カバー、  ６２ａ  係止穴、  ６３  固定ねじ、  ７  制御盤カバー保持部材、  ７ａ  保持枠、  ７ｂ  挿入部、  ８  保守点検作業員。
【図１】
2006347649.tif 000003
【図２】
2006347649.tif 000004
【図３】
2006347649.tif 000005
【図４】
2006347649.tif 000006
【図５】
2006347649.tif 000007